(57)【特許請求の範囲】
【請求項１】
ベッドの外側面に配置されるベッド装着型介護用紙オムツ入れであって、このベッド装着型介護用紙オムツ入れは、布地と、この布地の端部に備えられる収納部と、前記布地を前記ベッドの外側面に固定するための固定用具としての複数の一対の紐とを有し、前記布地は前記複数の一対の紐によって前記ベッドの外側面に鉛直方向に巻かれるように固定され、前記複数の一対の紐のうちそれぞれの一の紐は、鉛直方向の上方向に開口部を有する前記収納部が備えられている側とは反対側の前記布地の端部に設けられ、複数の一対の紐のうちそれぞれの他の紐は前記収納部裏側であって前記それぞれの一の紐と鉛直方向で同一線上であり前記布地端部に設けられた前記収納部の縦寸法の２分の１の長さの位置に設けられ、前記それぞれの一の紐と前記それぞれの他の紐とを結ぶことで前記布地が前記ベッドの外側面に巻かれるように固定される際に前記収納部の寸法の２分の１の長さが鉛直方向に垂れ下がるように形成されることを特徴とするベッド装着型介護用紙オムツ入れ。
【発明の詳細な説明】
【技術分野】
【０００１】
本発明は、介護施設・病院にて、介護又は看護に使用するベッド足元外側又は側面に介
護用紙オムツ（フラットタイプ）が完全に入る収納部を備えた用品入れと、その利便化を
図った製造方法である。
【背景技術】
【０００２】
従来、この種の収納ポケットとしてベッドパットを利用したものがあった。この収納ポ
ケットは、キルティングした布のベッドパットの両側を小さく仕切り、ベッド上で使用する小物を介護又は看護を受ける側の者が収納する仕様となっている。
【特許文献１】特開２００６−３２０６７０号公報
【発明の開示】
【発明が解決しようとする課題】
【０００３】
以上に述べた従来の小物収納ポケットは介護又は看護を行う側の者から見て、介護又は
看護に必要な介護用紙オムツ（フラットタイプ）を手近に収納するスペースは無い。
【０００４】
介護又は看護において、介護用紙オムツ（フラットタイプ）の交換作業は介護度が高い
ほど頻度が多く、また不規則で労力を要す。
【０００５】
介護又は看護を受ける側からすれば、介護用紙オムツ（フラットタイプ）の交換を受け
るまでの時間は不快感を伴うので短時間である方が望ましい。
【０００６】
さらに、目の前で交換される介護用紙オムツ（フラットタイプ）を見ることは、介護又
は看護を受ける側は強い屈辱感を受けるやすく、また介護用紙オムツ（フラットタイプ）
が身近に見えることが周囲に気付かれることからもやはり屈辱感を受けやすい。
【０００７】
本発明は、介護又は看護を行う側からは常時・瞬時に介護用紙オムツ（フラットタイ
プ）を収納・使用するための収納部を持つ用品入れを目的としており、介護又は看護を受
ける側からすれば人としての尊厳を守ることのできる用品入れとなることを目的としてい
る。
【０００８】
また、同時に本発明は介護施設・病院においての多種類のベッドに適応し、使用できる
ことを目的とするものである。
【０００９】
さらに、入手しやすい材料で簡便かつ迅速に製造できる用品入れを目的とするものであ
る。
【課題を解決するための手段】
【００１０】
ベッドの外側面に配置されるベッド装着型介護用紙オムツ入れであって、このベッド装着型介護用紙オムツ入れは、布地と、この布地の端部に備えられる収納部と、前記布地を前記ベッドの外側面に固定するための固定用具としての複数の一対の紐とを有し、前記布地は前記複数の一対の紐によって前記ベッドの外側面に鉛直方向に巻かれるように固定され、前記複数の一対の紐のうちそれぞれの一の紐は、鉛直方向の上方向に開口部を有する前記収納部が備えられている側とは反対側の前記布地の端部に設けられ、複数の一対の紐のうちそれぞれの他の紐は前記収納部裏側であって前記それぞれの一の紐と鉛直方向で同一線上であり前記布地端部に設けられた前記収納部の縦寸法の２分の１の長さの位置に設けられ、前記それぞれの一の紐と前記それぞれの他の紐とを結ぶことで前記布地が前記ベッドの外側面に巻かれるように固定される際に前記収納部の寸法の２分の１の長さが鉛直方向に垂れ下がるように形成されることを特徴とするベッド装着型介護用紙オムツ入れである。
【００１２】
上記第１の課題解決手段による作用は、反収納部端部の固定用具と、収納部の位置する
裏側でかつ収納底部より高い位置に付く固定用具を結ぶと、介護用紙オムツ（フラットタイプ）を収納・使用する際に用品入れのズレを防止でき、用品入れの固定を確実にすることができる。
【００１３】
またこの用品入れは、対応する二カ所から各々固定用具を用いて結ばれることを特徴としているので、介護施設・病院で使用される際に多種類のベッドへの使用が適応可能である。
【００１４】
一枚の布地を折りたたみながら用品入れを製造していき、半分折りの時に固定用具を二つ以上取り付け、さらに折り目を利用して他の固定用具を挟み込むことで全体を縫製して行くので製造工程が簡便で、迅速にできる用品入れであり、加えて折りたたむことにより布地に厚みが加わることで用品入れ自体に強度と張りを持たせることができ、介護用紙オムツ（フラットタイプ）の収納・使用の際に利便さを発揮する。
【発明の効果】
【００１５】
ベッドの足元外側又は側面に相当する位置に収納部を備えており、常時・瞬時に介護用
紙オムツ（フラットタイプ）の交換を行える。介護又は看護を行う側にとっては利便性、
介護又は看護を受ける側にとっては不快感の軽減、人としての尊厳を守ることを提供でき、
介護施設・病院の多種類のベッドに使用でき、使用の際にズレが起こりにくく、簡便かつ
迅速に製造できる。
【発明を実施するための最良の形態】
【００１６】
以下、本発明の実施形態を図１から図４に基づいて説明する。
【００１７】
図１と図２においてa、b、cは布地の端部に付く固定用具の位置で、d、e、fは収納
底部より高い位置で収納部縦寸法の約２分の１の長さを底部より上部に向かって取っ
た位置であり、かつa、b、cと結ぶ固定用具の配置位置である。
【００１８】
また、図２においてイは固定用具を示し、固定用具は紐、紐とマジックテープ（登録商標）を組み合わせたもの等を通常用いる。ロ・ハは収納部となり、図３においてニは布目縦方向、ホは収納開口部を示している。
【００１９】
そして、g、iは他の固定用具の付く位置を示し、gはhと、iはjと対応し固着され、
収納開口部の上部両端となる。
【００２０】
図１の９は収納部ロ、ハの深さを示し、介護用紙オムツ（フラットタイプ）が十分隠れ
る深さとする。
【００２１】
さらに、この用品入れは、一枚の布Ａを図３に示すようにA→B→C→Dの順に折り曲
げることで収納部を製造していく工程をとる。
【００２２】
加えて図１において５−５破線部は谷折りを示し収納部底部となり、７−７の破線部は
山折りを示している。
【００２３】
以下、本発明の用品入れを実施例に基づき、製造工程を説明する。
一番目に、図２において固定用具イを用意する。好ましい例としてa、b、c、d、e、f、
h、j、k、lの位置に配置する。h、j、k、lは横ズレ防止を目的とする固定用具となる。固定用具イの長さと幅は結びやすい長さと幅とする。
二番目に、図３の用布Aを準備する。材質は強度と張りの有る布地が望ましい。用布の形態により、折り方図を図３において３種類A１、A２、A３を示す。縦長の長方形であれば図３AのA１の折り方となり、固定用具イはすべて挟み込みができ、同時に周囲の地縫いができる。また、横長の長方形であれば図３においてAのA２の折り方となり、固定用具イは図２のlの位置のみ輪となるので上より押さえ付け、同じタイプの布を縦中心に拝み合わせるように折ると、図３のA３−B３となり両端が輪となるので図２のkとlの位置の固定用具イを上から押さえ付けることとなる。
三番目に、図３において、好ましい例としてA１、A２においては収納開口部上部分Cの４−４裏面・Dのホに、用布Aと収納部開口部ホの境目をはっきりさせるために、別布を付ける。幅は収納部ロ・ハの開口部の幅である。
四番目に、収納部ハの裏側に図１における９の長さの約二分の一でかつa、b、cと結べ、対応する位置にd、e、fの位置に固定用具イを付ける。
五番目に、図１のA１においてa、b、c、k、lの位置に固定用具イを挟み込み、４aから４bまでを縫い合わせる。
六番目に、図１の５−５を谷折りとし、収納部ロ、ハを合わせ、４a−４bの線を６−６に重ね、固定用具イをh、jの位置に挟み、収納部両側脇４−５−６を縫う。
七番目に、好ましい例として図３のA２、A３においては、A２の場合はlにのみ、A３の場合はkとlの位置に固定用具イを付け、上から押さえて固定する。
八番目に、好ましい例として図４の実施例では両側に入れられるように収納部ロ、ハの中心から両脇に縦に収納部ロ、ハを二分割する。
九番目に、図４は用品入れの外観斜視図である。
十番目に、好ましい例として用品入れを利用する人々の気持ちを和らげるために、収納部ロ、ハの上面部に装飾等を用いてもよい。
【００２４】
以下、上記構成を説明する。収納部ハにおいて、収納部上部ホかつ６−６に向かい、収納部縦寸法の約二分の一長さを底部より縦にとり、かつ図１の固定用具イを取り付け位置a、b、cと結べる位置d、e、fを決定する。用品入れ端部a、b、cと収納部ハ自体の裏面のd、e、fに固定用具を設けて結ぶことにより、用品入れは確実に固定され、使用の際のズレが防止できる。
【００２５】
図３において、一枚布AをA１→B１→C１→D２、又はA２→B２→C２→D２、又はA３→B３→C３→D３の順に折りながら用品入れを製造していく工程をとることで布地に厚みが加わり、用品入れ自体に強度と張りを持たせるという効果を発揮する。
【００２６】
図３のＢ１、B２、B３の折りを終了したとき、Ｂ１の場合はa、b、c、k、lの位置に、B２の場合はa、b、c、lの位置に、B３の場合はa、b、cの位置に固定用具イ挟み込んで地縫いし、また収納部ロ、ハを作り、両側脇４−５−６を縫う際、固定用具イをh、jの位置に挟み込み、地縫いする。この縫製方法は、固定用具を付ける作業と地縫い作業とを一つの工程にて済ませることができ、工程の簡略化を図っている。
【００２７】
以上のように、本実施形態をとれば、用品入れの固定が確実にでき、介護施設・病院の多種類のベッドに対応でき、一枚布から強度と張りを持つ用品入れを迅速に製造することができるものである。
【図面の簡単な説明】
【００２８】
【図１】本発明の実施形態を示す一枚布を二つ折りにした際の用品入れの表図である。
【図２】本発明の実施形態を示す一枚布を二つ折りにした際の用品入れの裏図である。
【図３】用品入れの製造工程を示す折り方図である。          A  用布          B,C,D  折り順          A１ 縦長用布折り方          A２ 横長用布折り方（半分折り）          A３ 横長用布折り方（拝み合わせ）
【図４】用品入れの外観斜視図である。
【符号の説明】
【００２９】
イ  固定用具
ロ  収納部
ハ  収納部
二  布目縦方向
a,b,c,d,e,f,g,h,i,j  固定用具の位置
１と２  折り合う
３  谷折り位置
４a−４b  収納部開口部上部線（６−６に重なる）
５−５  収納部底部
６−６  収納部開口部下部線（４ａ−４bに重なる）
７−７  山折り位置（図１において）
８a−８b  固定用具取りつけ端部
【図１】
0004403582.tif 000002
【図２】
0004403582.tif 000003
【図３】
0004403582.tif 000004
【図４】
0004403582.tif 000005